(57)【要約】【課題】通信を確立する通信端末を制限すること。【解決手段】少なくとも１つの通信端末と通信を確立可能な局側装置は、通信を許可する通信端末のＭＡＣアドレスを予め記憶するＭＡＣ認証テーブルと、通信端末のＭＡＣアドレスを含む開局要求パケットを受信する受信手段（Ｓ１１）と、開局要求パケットが受信された場合、該開局要求パケットに含まれるＭＡＣアドレスがＭＡＣ認証テーブルに記憶されていることを条件に（Ｓ１３でＮＯ）、該ＭＡＣアドレス宛に通信を許可するための許可パケットを送信する許可信号送信手段（Ｓ２２）とを備える。ＭＡＣアドレスを用いて通信の確立を許可するか否かを決定するため、通信を確立する通信端末を制限することができる。【選択図】        図９
2005027083.tif 000002
【特許請求の範囲】
【請求項１】
少なくとも１つの通信端末と通信を確立可能な局側装置であって、
通信を許可する通信端末のＭＡＣアドレスを予め記憶するＭＡＣ認証テーブル記憶手段と、
通信端末のＭＡＣアドレスを含む開局要求パケットを受信する受信手段と、
前記開局要求パケットが受信された場合、前記開局要求パケットに含まれるＭＡＣアドレスが前記ＭＡＣ認証テーブルに記憶されていることを条件に該ＭＡＣアドレスに宛てて通信を許可するための許可パケットを送信する許可パケット送信手段とを備えた、局側装置。
【請求項２】
登録認証ＩＤと登録の可否を示す登録可否情報とを関連づけて記憶する登録認証ＩＤテーブル記憶手段と、
ＭＡＣアドレスおよび登録認証ＩＤを含む開局要求パケットが受信された場合、前記受信された開局要求パケットに含まれる登録認証ＩＤに関連づけて前記登録認証ＩＤテーブル記憶手段に記憶された登録可否情報が許可であることを条件に、前記受信されたＭＡＣアドレスを前記ＭＡＣ認証テーブルに記憶するＭＡＣアドレス追加手段とをさらに備えた、請求項１に記載の局側装置。
【請求項３】
前記ＭＡＣ認証テーブル記憶手段は、ＭＡＣアドレスごとに通信の可否を示す開局可否情報を記憶し、
前記許可パケット送信手段は、前記受信された開局要求パケットに含まれるＭＡＣアドレスに対応する開局可否情報が許可を示すことをさらに条件として前記許可パケットを送信する、請求項１に記載の局側装置。
【請求項４】
前記開局可否情報を不許可にする指示の入力を受け付ける不許可指示受付手段と、
前記開局要求パケットに含まれるＭＡＣアドレスに対応する開局可否情報が不許可の場合には、該ＭＡＣアドレス宛に前記開局要求パケットの送信を禁止させるための禁止コマンドを送信する禁止コマンド送信手段とをさらに備えた、請求項３に記載の局側装置。
【請求項５】
前記受信された開局要求パケットに含まれるＭＡＣアドレスが前記ＭＡＣ認証テーブル記憶手段に記憶されておらず、前記ＭＡＣ認証テーブル記憶手段に予め定められた数のＭＡＣアドレスが既に記憶されている場合には、前記ＭＡＣアドレス宛に前記開局要求パケットの送信を禁止させるための禁止コマンドを送信する禁止コマンド送信手段をさらに備えた、請求項１に記載の局側装置。
【請求項６】
前記ＭＡＣ認証テーブル記憶手段に記憶されたＭＡＣアドレスを削除する指示の入力を受付ける削除指示入力手段と、
前記削除が指示されたＭＡＣアドレスが入力された場合に、前記ＭＡＣ認証テーブル記憶手段に記憶されている前記削除が指示されたＭＡＣアドレスを削除する削除手段とをさらに備えた、請求項１に記載の局側装置。
【請求項７】
前記削除されたＭＡＣアドレスに対応する通信端末と通信が確立されている場合には、前記削除されたＭＡＣアドレス宛に前記開局要求パケットの送信を禁止させるための禁止コマンドを送信する禁止コマンド送信手段と、
前記通信端末との通信を切断する切断手段とをさらに備えた、請求項６に記載の局側装置。
【請求項８】
前記ＭＡＣ認証テーブル記憶手段に記憶されたＭＡＣアドレスを削除する指示の入力を受付ける削除指示入力手段と、
前記削除が指示されたＭＡＣアドレスが入力された場合に、前記入力されたＭＡＣアドレスを記憶する登録拒否ＭＡＣテーブル記憶手段と、
前記開局要求パケットに含まれるＭＡＣアドレスが前記登録拒否ＭＡＣテーブル記憶手段に記憶されている場合には、該ＭＡＣアドレス宛に前記開局要求パケットの送信を禁止させるための禁止コマンドを送信する禁止コマンド送信手段とをさらに備えた、請求項１に記載の局側装置。
【請求項９】
局側装置に登録されることを条件に通信が確立される端末装置であって、
登録認証ＩＤの入力を受付ける受付手段と、
前記局側装置による登録が完了する前の段階で、前記局側装置から出力されるディスカバリーゲートパケットを受信する受信手段と、
前記ディスカバリーゲートパケットの受信に応じて、自身のＭＡＣアドレスと前記入力された登録認証ＩＤとを含む開局要求パケットを前記局側装置に送信する送信手段とを備えた、端末装置。
【請求項１０】
前記局側装置から前記開局要求パケットの送信を禁止させるための禁止コマンドが受信された場合には、前記局側装置への開局要求パケットの送信を禁止する禁止手段をさらに備えた、請求項９に記載の端末装置。
【発明の詳細な説明】
【０００１】
【発明の属する技術分野】
この発明は、局側装置および端末装置に関し、特に、端末装置が登録されていることを条件にその端末装置との接続を確立する局側装置およびその端末装置に関する。
【０００２】
【従来の技術】
複数の通信端末が共通の伝送路を用いて相互に通信する場合に、通信データが伝送路上で衝突して通信データを送信できない場合がある。相互に通信する端末同士が伝送路を占有し、お互いに共通の規則に従って通信する場合には衝突を回避することができるけれども、他の通信端末が通信データをその伝送路に送出した場合などに衝突が発生する。
【０００３】
この衝突を回避するために、局側装置と複数の端末装置とが１対多の接続関係で接続される通信システムでは、局側装置が複数の端末装置に対して通信データを送出する時期を通知することにより、伝送路上での通信データの衝突を回避し、効率的な通信を可能としている。この通信システムでは、局側装置で複数の通信端末それぞれに送出タイミングを通知するために、局側装置で複数の通信端末が登録される（たとえば、非特許文献１）。
【０００４】
【非特許文献１】
住友電気工業株式会社、住友電工ネットワーク株式会社、“Ｅ−ＰＯＮ光伝送システムを開発、本格出荷を開始”、［ｏｎｌｉｎｅ］、平成１４年１１月１４日、インターネット＜ＵＲＬ：ｈｔｔｐ：／／ｗｗｗ．ｓｅｉ．ｃｏ．ｊｐ／ｎｅｗｓ／ｐｒｅｓｓ／０２／ｐｒｓ２５９＿ｓ．ｈｔｍｌ、ｈｔｔｐ：／／ｗｗｗ．ｓｅｉ．ｃｏ．ｊｐ／ｎｅｗｓ／ｐｒｅｓｓ／０２／ｉｍａｇｅ／ｐｒｓ２５９．ｐｄｆ＞
【０００５】
【発明が解決しようとする課題】
しかしながら、局側装置が接続されたネットワークに接続された通信端末であれば、局側装置に登録することができるが、登録する端末装置を制限する必要がある。たとえば、局側装置側で、ネットワーク通信サービスを有料で提供する場合である。端末装置をネットワークに接続しさえすれば局側装置に登録可能とすれば、契約者でない者の端末装置が局側装置に登録されてしまい、サービス提供の対価を回収することができない。
【０００６】
また、局側装置で登録を制限するようにしたとしても、契約者でない者の通信端末が、物理的にネットワークに接続された場合には、その通信端末がネットワークに信号を送出することがあり得る。この場合は、その通信端末がネットワークに送出する信号は、契約者の通信端末が送出する通信データと衝突してしまったり、契約者でない者の通信端末が送出する通信データがネットワークを占有してしまったりするといった問題がある。
【０００７】
この発明は上述した問題点を解決するためになされたもので、この発明の目的の１つは、通信を確立する通信端末を制限することが可能な局側装置を提供することである。
【０００８】
この発明の他の目的は、ネットワーク資源を有効に利用することが可能な局側装置を提供することである。
【０００９】
この発明のさらに他の目的は、特定の端末装置だけを局側装置に登録することが可能な端末装置を提供することである。
【００１０】
この発明のさらに他の目的は、ネットワーク資源を有効に利用することが可能な端末装置を提供することである。
【００１１】
【課題を解決するための手段】
上述した目的を達成するためにこの発明のある局面によれば、局側装置は、少なくとも１つの通信端末と通信を確立可能な局側装置であって、通信を許可する通信端末のＭＡＣアドレスを予め記憶するＭＡＣ認証テーブル記憶手段と、通信端末のＭＡＣアドレスを含む開局要求パケットを受信する受信手段と、開局要求パケットが受信された場合、開局要求パケットに含まれるＭＡＣアドレスがＭＡＣ認証テーブルに記憶されていることを条件に該ＭＡＣアドレスに宛てて通信を許可するための許可パケットを送信する許可パケット送信手段とを備える。
【００１２】
この発明に従えば、少なくとも１つの通信端末と通信を確立可能な局側装置は、通信を許可する通信端末のＭＡＣアドレスを予め記憶しており、通信端末のＭＡＣアドレスを含む開局要求パケットが受信されると、開局要求パケットに含まれるＭＡＣアドレスが予め記憶されていることを条件に該ＭＡＣアドレス宛に通信を許可するための許可パケットを送信する。このため、ＭＡＣアドレスを用いて通信の確立を許可するか否かを決定することができるので、通信を確立する通信端末を制限することが可能な局側装置を提供することができる。
【００１３】
好ましくは、登録認証ＩＤと登録の可否を示す登録可否情報とを関連づけて記憶する登録認証ＩＤテーブル記憶手段と、ＭＡＣアドレスおよび登録認証ＩＤを含む開局要求パケットが受信された場合、受信された開局要求パケットに含まれる登録認証ＩＤに関連づけて登録認証ＩＤテーブル記憶手段に記憶された登録可否情報が許可であることを条件に、受信されたＭＡＣアドレスをＭＡＣ認証テーブルに記憶するＭＡＣアドレス追加手段とをさらに備える。
【００１４】
この発明に従えば、ＭＡＣアドレスおよび登録認証ＩＤを含む開局要求パケットが受信された場合、開局要求パケットに含まれる登録認証ＩＤに関連づけられて記憶された登録可否情報が許可であることを条件に、ＭＡＣアドレスが記憶される。このため、特定の端末装置だけを登録することが可能な局側装置を提供することができる。
【００１５】
さらに好ましくは、ＭＡＣ認証テーブル記憶手段は、ＭＡＣアドレスごとに通信の可否を示す開局可否情報を記憶し、許可パケット送信手段は、受信された開局要求パケットに含まれるＭＡＣアドレスに対応する開局可否情報が許可を示すことをさらに条件として許可パケットを送信する。
【００１６】
この発明に従えば、受信された開局要求パケットに含まれるＭＡＣアドレスに対応する開局可否情報が許可を示すことをさらに条件として許可パケットが送信される。このため、ＭＡＣアドレスが登録されている場合であっても、特定のＭＡＣアドレスを有する通信端末との接続を制限することが可能となる。
【００１７】
さらに好ましくは、開局可否情報を不許可にする指示の入力を受け付ける不許可指示受付手段と、開局要求パケットに含まれるＭＡＣアドレスに対応する開局可否情報が不許可の場合には、該ＭＡＣアドレス宛に開局要求パケットの送信を禁止させるための禁止コマンドを送信する禁止コマンド送信手段とをさらに備える。
【００１８】
この発明に従えば、開局可否情報を不許可にする指示が入力され、開局要求パケットに含まれるＭＡＣアドレスに対応する開局可否情報が不許可の場合には、該ＭＡＣアドレス宛に開局要求パケットの送信を禁止させるための禁止コマンドが送信される。この結果、開局要求パケットが無駄に送信されることがないので、ネットワーク資源を有効に利用することができる。
【００１９】
さらに好ましくは、受信された開局要求パケットに含まれるＭＡＣアドレスがＭＡＣ認証テーブル記憶手段に記憶されておらず、ＭＡＣ認証テーブル記憶手段に予め定められた数のＭＡＣアドレスが既に記憶されている場合には、ＭＡＣアドレス宛に開局要求パケットの送信を禁止させるための禁止コマンドを送信する禁止コマンド送信手段をさらに備える。
【００２０】
この発明に従えば、受信された開局要求パケットに含まれるＭＡＣアドレスがＭＡＣ認証テーブル記憶手段に記憶されておらず、ＭＡＣ認証テーブル記憶手段に予め定められた数のＭＡＣアドレスが既に記憶されている場合には、該ＭＡＣアドレス宛に開局要求パケットの送信を禁止させるための禁止コマンドが送信される。このため、予め定められた数のＭＡＣアドレスが記憶された場合には、記憶されていないＭＡＣアドレスを有する通信端末からの開局要求パケットの送信が禁止される。この結果、開局要求パケットが無駄に送信されることがないので、ネットワーク資源を有効に利用することができる。
【００２１】
さらに好ましくは、ＭＡＣ認証テーブル記憶手段に記憶されたＭＡＣアドレスを削除する指示の入力を受付ける削除指示入力手段と、削除が指示されたＭＡＣアドレスが入力された場合に、ＭＡＣ認証テーブル記憶手段に記憶されている削除が指示されたＭＡＣアドレスを削除する削除手段とをさらに備える。
【００２２】
この発明に従えば、ＭＡＣ認証テーブル記憶手段に記憶されたＭＡＣアドレスを削除する指示の入力が受付けられると、削除が指示されたＭＡＣアドレスがＭＡＣ認証テーブル記憶手段から削除される。このため、削除されたＭＡＣアドレスを含む開局要求パケットが受信された場合に、その通信端末との接続が確立されることがない。その結果、特定のＭＡＣアドレスに対応する通信端末との通信の確立を制限することが可能となる。
【００２３】
さらに好ましくは、削除されたＭＡＣアドレスに対応する通信端末と通信が確立されている場合には、削除されたＭＡＣアドレス宛に開局要求パケットの送信を禁止させるための禁止コマンドを送信する禁止コマンド送信手段と、通信端末との通信を切断する切断手段とをさらに備える。
【００２４】
この発明に従えば、削除されたＭＡＣアドレス宛に開局要求パケットの送信を禁止させるための禁止コマンドが送信されるので、特定の通信端末から開局要求パケットが送信されることがない。このため、ネットワーク資源を有効に利用することができる。
【００２５】
さらに好ましくは、ＭＡＣ認証テーブル記憶手段に記憶されたＭＡＣアドレスを削除する指示の入力を受付ける削除指示入力手段と、削除が指示されたＭＡＣアドレスが入力された場合に、入力されたＭＡＣアドレスを記憶する登録拒否ＭＡＣテーブル記憶手段と、開局要求パケットに含まれるＭＡＣアドレスが登録拒否ＭＡＣテーブル記憶手段に記憶されている場合には、該ＭＡＣアドレス宛に開局要求パケットの送信を禁止させるための禁止コマンドを送信する禁止コマンド送信手段とをさらに備える。
【００２６】
この発明に従えば、ＭＡＣ認証テーブル記憶手段に記憶されたＭＡＣアドレスを削除する指示の入力が受付けられると、入力されたＭＡＣアドレスが登録拒否ＭＡＣテーブル記憶手段に記憶され、開局要求パケットに含まれるＭＡＣアドレスが登録拒否ＭＡＣテーブル記憶手段に記憶されている場合には、該ＭＡＣアドレス宛に開局要求パケットの送信を禁止させるための禁止コマンドが送信される。このため、ＭＡＣアドレスが削除された場合には、その後に開局要求パケットが受信されたとしても、通信が確立されることなく、さらに、その後に開局要求パケットが送信されることがないので、ネットワーク資源を有効に利用することができる。
【００２７】
この発明の他の局面によれば、通信端末は、局側装置に登録されることを条件に通信が確立される端末装置であって、登録認証ＩＤの入力を受付ける受付手段と、局側装置による登録が完了する前の段階で、局側装置から出力されるディスカバリーゲートパケットを受信する許可信号受信手段と、ディスカバリーゲートパケットの受信に応じて、自身のＭＡＣアドレスと入力された登録認証ＩＤとを含む開局要求パケットを局側装置に送信する送信手段とを備える。
【００２８】
この発明に従えば、局側装置に登録されることを条件に通信が確立される端末装置は、登録認証ＩＤの入力が受付けられ、局側装置による登録が完了する前の段階で、局側装置から出力されるディスカバリーゲートパケットが受信されると、自身のＭＡＣアドレスと入力された登録認証ＩＤとを含む開局要求パケットが局側装置に送信される。このため、登録認証ＩＤの入力が受付けられることを条件に、局側装置に登録されるので、局側装置に登録可能な端末装置を制限することができる。その結果、特定の端末装置だけを局側装置に登録することが可能な端末装置を提供することができる。
【００２９】
好ましくは、局側装置から開局要求パケットの送信を禁止させるための禁止コマンドが受信された場合には、局側装置への開局要求パケットの送信を禁止する禁止手段をさらに備える。
【００３０】
この発明に従えば、局側装置から開局要求パケットの送信を禁止させるための禁止コマンドが受信された場合には、局側装置への開局要求パケットの送信が禁止される。このため、通信端末から無駄に開局要求パケットを送信されることはないので、ネットワーク資源を有効に利用することができる。
【００３１】
【発明の実施の形態】
以下、図面を参照しつつ本発明の実施の形態について説明する。以下の説明では、同一の部品には同一の符号を付してある。それらの名称および機能も同じである。したがってそれらについての詳細な説明は繰返さない。
【００３２】
図１は、本発明の実施の形態に係る通信システムの概略構成を示す図である。図１を参照して、本実施の形態における通信システムは、局側装置２００と、複数の通信端末１００，１００Ａ，１００Ｂ，１００Ｃ，１００Ｄとを含む。各通信端末１００，１００Ａ〜１００Ｄは、それぞれがコンピュータ２１０，２１０Ａ，２１０Ｂ，２１０Ｃ，２１０Ｄと、接続線２０４，２０４Ａ，２０４Ｂ，２０４Ｃ，２０４Ｄで接続されている。なお、ここでは５台の通信端末１００，１００Ａ〜１００Ｄが局側装置２００に接続するネットワークを例に説明するが、通信端末はこれに限定されない。１台の局側装置２００に複数の通信端末が接続される形態のネットワークであればよい。また、ここでは、通信端末１００，１００Ａ〜１００Ｄと、コンピュータ２１０，２１０Ａ，２１０Ｂ，２１０Ｃ，２１０Ｄとを、接続線２０４，２０４Ａ，２０４Ｂ，２０４Ｃ，２０４Ｄで直接接続するようにしたが、通信端末１００，１００Ａ〜１００Ｄには、ローカルエリアネットワーク（ＬＡＮ）等のネットワークが接続されてもよく、そのネットワークにコンピュータ２１０，２１０Ａ，２１０Ｂ，２１０Ｃ，２１０Ｄが接続されてもよい。
【００３３】
局側装置２００と複数の通信端末１００，１００Ａ〜１００Ｄとは、光ファイバで接続され、ネットワークを構成する。このようなネットワークの接続形態は、パッシブダブルスター（ＰＤＳ：Ｐａｓｓｉｖｅ  Ｄｏｕｂｌｅ  Ｓｔａｒ）方式という。
【００３４】
より具体的に説明すると、局側装置２００は、光ファイバ２０１の一端と接続される。光ファイバ２０１の他端は、光カプラ２０３に接続される。光カプラ２０３は、通信端末１００と光ファイバ２０２で接続されている。光カプラ２０３は、通信端末１００Ａ，１００Ｂ，１００Ｃ，１００Ｄとそれぞれ光ファイバ２０２Ａ，２０２Ｂ，２０２Ｃ，２０２Ｄで接続される。
【００３５】
光カプラ２０３は、１つの光ファイバ２０１から受信する光信号を、複数の光ファイバ２０２，２０２Ａ〜２０２Ｄにそれぞれ出力する。また、複数の光ファイバ２０２，２０２Ａ〜２０２Ｄそれぞれから受信する光信号は、光ファイバ２０１に出力する。したがって、局側装置２００から出力される光信号は、光ファイバ２０１を介して光カプラ２０３で受信された後、すべての光ファイバ２０２，２０２Ａ〜２０２Ｄに出力される。このため、局側装置２００から出力された光信号は、通信端末１００，１００Ａ〜１００Ｄのすべてで受信されることになる。
【００３６】
逆に、通信端末１００，１００Ａ〜１００Ｄそれぞれと光カプラ２０３とは、それぞれ光ファイバ２０２，２０２Ａ〜２０２Ｄで接続されるため、光カプラ２０３と通信端末１００，１００Ａ〜１００Ｄとの間の光ファイバ２０２，２０２Ａ〜２０２Ｄは、通信端末１００，１００Ａ〜１００Ｄそれぞれで占有されることになる。換言すれば、通信端末１００が出力する光信号は、光ファイバ２０２だけを通り、光ファイバ２０２Ａ，２０２Ｂ，２０２Ｃ，２０２Ｄを通ることはない。
【００３７】
しかしながら、通信端末１００，１００Ａ〜１００Ｄのそれぞれから出力された光信号は、光カプラ２０３でまとめられて光ファイバ２０１に出力される。このため、光ファイバ２０１においては、通信端末１００，１００Ａ〜１００Ｄから出力された光信号のすべてが伝送されることになる。この意味で、光ファイバ２０１は、通信端末１００，１００Ａ〜１００Ｄで共有されているといえる。このため、局側装置２００と通信端末１００，１００Ａ〜１００Ｄとの通信においては、通信端末１００，１００Ａ〜１００Ｄのいずれか１台が局側装置２００と通信が可能である。複数の通信端末１００，１００Ａ〜１００Ｄのうち２台以上の通信端末が同時にパケット（光信号）を局側装置２００に出力した場合、光ファイバ２０１上でパケットが衝突するため、局側装置２００ではそのパケットを受信することはできない。なお、１つの光ファイバでも、波長の異なる光を同時に送受信することは可能である。通信端末１００，１００Ａ〜１００Ｄから局側装置２００へのパケット送信を上り方向とし、その逆のパケットの送信を下り方向とすれば、上り方向と下り方向とで波長が異なっても良い。本実施の形態においては、上り方向に送信されるパケットが、同じ波長の光で送信される場合を前提にしている。
【００３８】
通信端末１００，１００Ａ〜１００Ｄのすべてがネットワークに接続される場合には、局側装置２００では、光ファイバ２０１上でパケット衝突を回避するため、接続される通信端末１００，１００Ａ〜１００Ｄのすべてを登録している。そして、局側装置２００は、接続された通信端末１００，１００Ａ〜１００Ｄすべてに対して、それぞれがパケットを送信可能な期間を割当て、その割当てた期間を通信端末１００，１００Ａ〜１００Ｄそれぞれに送信している。このため、通信端末１００，１００Ａ〜１００Ｄは、局側装置により割当てられた期間にパケットを送信する。したがって、その期間には、他の通信端末がパケットを送信することはなく、光ファイバ２０１上でパケットが衝突することなく、局側装置で受信される。
【００３９】
しかしながら、新たに通信端末が局側装置２００に接続される場合には、その新たに接続する通信端末は、局側装置２００に登録されていない。本実施の形態における通信システムでは、この新たに通信端末を局側装置に登録する処理を容易に実現するものである。
【００４０】
本実施の形態における通信システムにおいては、局側装置２００が接続される上位のネットワークと通信端末１００，１００Ａ〜１００Ｄに接続されるコンピュータ２１０，２１０Ａ〜２１０Ｄとの通信を中継する処理を実現する。このため、局側装置２００および通信端末１００，１００Ａ〜１００Ｄとの間では、パケットを送受信することにより通信する。そして、そのパケットの送信先を特定するために、局側装置２００および通信端末１００，１００Ａ〜１００Ｄに予め割当てられているＭＡＣ（媒体アクセス制御：Ｍｅｄｉａ  Ａｃｃｅｓｓ  Ｃｏｎｔｒｏｌ）アドレスが用いられる。ＭＡＣアドレスとは、データリンク層の下位副層であるＭＡＣ層に付与されるアドレスである。ＭＡＣ層データ・フレームのヘッダー中で送信元とあて先を指定するために使われる。このＭＡＣアドレスを用いた通信は、たとえば、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．３ａｈで規定される周知の方式を採用することができ、ここではその詳細な説明は繰返さない。
【００４１】
図２は、本実施の形態における局側装置の概略構成を示すブロック図である。図を参照して、この局側装置２００は、通信端末１００，１００Ａ〜１００Ｄからの光信号を受信してパケットを出力する受信部２１１と、受信部２１１から受けたパケットを上位ネットワークに送出する送信部２１２と、受信部２１１から受けたパケットに基づいて後述する開局処理制御を行なう制御部２１３と、上位ネットワークからのパケットを受信する受信部２１４と、受信部２１４によって受信されたパケットを蓄積するバッファメモリ２１５と、制御部２１３による制御によってバッファメモリ２１５に蓄積されたパケットを通信端末１００，１００Ａ〜１００Ｄに送出する送信部２１６と、ユーザによる所定の情報の入力を受付けるための入力部２１８とを含む。なお、バッファメモリ２１５は、レジスタ、フリップフロップ回路、ラッチ回路など、データを記憶できるものであればよい。
【００４２】
受信部２１１は、通信端末１００，１００Ａ〜１００Ｄからの光信号を受信し、パケットのヘッダ部分を読取ることによってパケットが開局要求パケットなどの制御パケットであるか、データパケットであるかを判定する。受信したパケットがデータパケットであれば、受信部２１１は、当該パケットを送信部２１２に転送する。また、受信したパケットが制御パケットであれば、受信部２１１は当該制御パケットを制御部２１３に転送する。
【００４３】
送信部２１２は、受信部２１１からデータパケットを受けると、当該データパケットを上位ネットワークに送出する。
【００４４】
記憶部２１７には、後述するＭＡＣアドレス認証テーブル、登録認証ＩＤテーブルおよび登録拒否ＭＡＣテーブルが記憶される。
【００４５】
入力部２１８は、マウスまたはキーボード等であり、局側装置２００のユーザによる情報の入力を受付け、制御部２１３に出力する。制御部２１３では、入力部２１８より受信したユーザにより入力された情報に基づき、所定の処理を実行する。たとえば、記憶部２１７に記憶されているＭＡＣ認証テーブル、登録認証ＩＤテーブルおよび登録拒否ＭＡＣテーブルの更新が可能である。
【００４６】
制御部２１３は、受信部２１１より制御パケットを受信すると、その制御パケットに含まれる情報に基づいて、後述する開局処理を行ない、パケットを生成して送信部２１６に出力する。また、制御部２１３は、バッファメモリ２１５に蓄積されているパケットの送信制御も実行する。
【００４７】
制御部２１３は、新たに接続された通信端末がないか否かを定期的に検知するための制御パケット（ディスカバリーゲートパケット）を生成して送信部２１６に送出する。さらに、制御部２１３は、接続されていた通信端末が切断された場合には、それを検知してＭＡＣ認証テーブル等のテーブルの内容の書き換えを行なう。
【００４８】
受信部２１４は、上位ネットワークからのパケットを受信し、バッファメモリ２１５に転送する。バッファメモリ２１５は、制御部２１３および受信部２１４から転送されたデータパケットおよび制御パケットをキューに蓄積し、制御部２１３による制御によってキューに蓄積されたパケットを送信部２１６に転送する。送信部２１６は、バッファメモリ２１５から転送されてきた制御パケットおよびデータパケットを通信端末１００，１００Ａ〜１００Ｄへ送出する。
【００４９】
図３は、本実施の形態における通信端末の概略構成を示すブロック図である。通信端末１００，１００Ａ〜１００Ｄは、その構成は同じであるので、ここでは通信端末１００を例に説明する。図を参照して、通信端末１００は、局側装置２００からの光信号を受信して自身宛のパケットを出力する受信部１２１と、受信部１２１から受けたパケットをユーザ側のコンピュータ２１０に送出する送信部１２２と、受信部１２１から受けたパケットに基づいて制御パケットを生成したり、ユーザ側のコンピュータ２１０から受信したデータパケットの送信制御を行なったりする制御部１２３と、ユーザ側のコンピュータ２１０からのパケットを受信する受信部１２４と、受信部１２４によって受信されたパケットおよび制御部１２３によって生成された制御パケットを蓄積するバッファメモリ１２５と、制御部１２３による制御によってバッファメモリ１２５に蓄積されたパケットを局側装置２００に送出する送信部１２６と、登録認証ＩＤや禁止コマンド等を記憶するための記憶部１２７とを含む。禁止コマンドは、局側装置２００から受信されたパケットに含まれる開局要求パケットの送信が禁止されたことを示す信号である。禁止コマンドについては、後述する。
【００５０】
受信部１２１は、局側装置２００からの光信号を受信し、パケットのヘッダ部分を読取ることによって当該パケットが自身宛であるか否かを判定する。自身宛てであるか否かは、受信したパケットのヘッダ部に含まれる論理パス情報またはＭＡＣアドレスに基づいて成される。論理パス情報は、たとえば論理リンク識別番号（Ｌｏｇｉｃａｌ  Ｌｉｎｋ  ＩＤ）である。受信部１２１は、受信したパケットが自身宛であれば当該パケットを取込み、他の通信端末宛または他の通信端末に接続される装置宛であれば当該パケットを破棄する。また、受信部１２１は、取込んだパケットのヘッダ部分によってデータパケットであるか制御パケットであるかを判定する。受信したパケットがデータパケットであれば、受信部１２１は当該データパケットを送信部１２２に転送する。また、受信したパケットが制御パケットであれば受信部１２１は当該制御パケットを制御部１２３に転送する。
【００５１】
送信部１２２は、受信部１２１からデータパケットを受けると、当該データパケットをユーザ側のコンピュータ２１０へ通常のイーサネット（Ｒ）パケットとして送出する。
【００５２】
制御部１２３は、受信部１２１から制御パケットを受けると、後述する開局処理によって制御パケットを生成してバッファメモリ１２５に転送する。また、制御部１２３は、バッファメモリ１２５に蓄積されているパケットの送信制御も行なう。
【００５３】
受信部１２４は、ユーザ側のコンピュータ２１０からのパケットを受信し、バッファメモリ１２５に転送する。バッファメモリ１２５は、制御部１２３および受信部１２４から転送されてきた制御パケットおよびデータパケットをパケットの種類ごとにキューに蓄積し、制御部１２３による制御によってキューに蓄積されたパケットを送信部１２６に転送する。送信部１２６は、バッファメモリ１２５から転送されてきた制御パケットおよびデータパケットを局側装置２００へ送出する。
【００５４】
記憶部１２７は、制御部１２３と接続され、制御部１２３で後述する開局要求パケットの送信を禁止させることを示す禁止コマンドが受信された場合には、その禁止コマンドを記憶する。制御部１２３では、記憶部１２７に禁止コマンドが記憶されている場合には、ユーザ側（コンピュータ２１０）から開局要求パケットを生成する指示が受信部１２４で受信され、その後、局側装置２００から出力されるディスカバリゲートパケットが受信部１２１で受信されても、開局要求パケットを生成することがない。
【００５５】
なお、記憶部１２７を不揮発性のメモリにした場合には、コンピュータ２１０から予め定められたコマンドが受信されることによって、記憶部１２７に記憶された禁止コマンドが消去される。
【００５６】
図４は、本実施の形態における局側装置に記憶されるＭＡＣ認証テーブルの一例を示す図である。このＭＡＣ認証テーブルは、局側装置２００の記憶部２１７に記憶される。また、このＭＡＣ認証テーブルは、局側装置２００のユーザが入力部２１８より入力した情報に従って更新される。また、後述する開局処理が制御部で実行されることによっても更新される。
【００５７】
図を参照して、ＭＡＣ認証テーブルは、通信端末（ＯＮＵ）のＭＡＣアドレスと、登録認証ＩＤと、開局可否と、開局状態との項目を含む。すなわち、ＭＡＣ認証テーブルは、通信端末のＭＡＣアドレスと、登録認証ＩＤと、開局可否情報と、開局状態とを関連づけて記憶するテーブルである。なお、本実施の形態においては、ＭＡＣ認証テーブルを、通信端末のＭＡＣアドレス、登録認証ＩＤ、開局可否情報、開局状態とを関連づけて記憶するようにしたが、通信端末のＭＡＣアドレスと開局可否とが少なくとも関連づけられていればよい。
【００５８】
ＭＡＣ認証テーブルには、登録可能なＭＡＣアドレスの数に上限が設けられている。本実施の形態においては、上限数を３２としている。これにより、局側装置２００に登録可能な通信端末の台数が３２台に制限される。なお、局側装置２００に接続可能な通信端末の台数はこれに限られず、これより少なくてもよく、また多くてもよく、少なくとも１台あればよい。
【００５９】
登録認証ＩＤは、通信端末のＭＡＣアドレスを登録するために用いられ、登録をしても良いか否かの判断に用いられる認証番号である。これについては後で詳しく説明する。なお、登録認証ＩＤは、数字の配列だけであってもよいし、文字、記号を含めるようにしてもよい。
【００６０】
開局可否は、ＭＡＣアドレスに対応づけられて記憶され、そのＭＡＣアドレスの通信端末に対して通信の確立を許可するか否かを示す情報である。開局可否が「許可」の場合には、そのＭＡＣアドレスの通信端末から開局要求パケットが受信された場合に開局するための処理が実行される。これとは逆に、開局可否が「不許可」とされている場合には、そのＭＡＣアドレスの通信端末から開局要求パケットが受信された場合に通信を確立することはない。したがって、局側装置２００のユーザが、入力部２１８を操作して、この開局可否を「許可」または「不許可」に設定することにより、ある特定のＭＡＣアドレスの通信端末との接続を確立するか否かを指定することができる。すなわち、特定のＭＡＣアドレスの通信端末との接続の確立をするか否かをこの開局可否情報を書き換えることにより指定することが可能となる。これは、局側装置がネットワーク通信サービスを提供する際に、特定の通信端末に対するサービスの提供を一時的に中止するような場合に有効である。
【００６１】
開局状態は、ＭＡＣアドレスごとに記憶され、そのＭＡＣアドレスの通信端末との通信が確立されている場合には「開局」とされ、通信が確立されていない場合には「閉局」とされる。この開局状態は、制御部２１３により書き換えられる情報である。
【００６２】
図５は、本実施の形態における局側装置に記憶される登録認証ＩＤテーブルの一例を示す図である。この登録認証ＩＤテーブルは、局側装置２００の記憶部２１７に記憶され、局側装置２００のユーザが入力部２１８を操作することにより更新される。
【００６３】
図を参照して、登録認証ＩＤテーブルは、登録認証ＩＤと、登録可否と、回数とを含む。すなわち、登録認証ＩＤと登録可否と回数とを対応づけて記憶する。登録認証ＩＤは、通信端末を局側装置２００に登録する際に用いられる認証番号である。局側装置への登録とは、上述したＭＡＣ認証テーブルにその通信端末のＭＡＣアドレスが記憶されることをいう。登録認証ＩＤは、局側装置２００で予め登録認証ＩＤテーブルに記憶される情報であり、たとえば、局側装置２００のユーザにより入力される情報である。
【００６４】
登録可否は、「登録許可」と「登録不許可」のいずれかを示す。登録可否は、局側装置２００のユーザにより入力される情報である。
【００６５】
回数は、制御部２１３により更新される値である。登録可否が「登録許可」に更新されたときに「０」にリセットされ、後述する登録認証ＩＤが検索されて抽出されたときに１づつカウントアップされる。
【００６６】
図６は、本実施の形態における通信システムで実行される開局処理手順を示す図である。図では、局側装置２００と通信端末１００との間で実行される開局処理手順を示している。まず、局側装置２００からは、定期的に通信端末１００に対してパケットの送出、ここでは開局要求パケットの送出を許可するディスカバリーゲートパケットが出力される。
【００６７】
ディスカバリーゲートパケットには、局側装置２００のＭＡＣアドレスと、後述する開局要求パケットを送出してもよい時間帯の情報を含む。また、ディスカバリーゲートパケットは、ブロードキャストで出力されるため、通信端末１００，１００Ａ〜１００Ｄのすべてで受信される。通信端末１００では、ディスカバリーゲートパケットを受信すると、そのディスカバリーゲートパケットに含まれる時間帯に開局要求パケットを局側装置２００に対して出力する。
【００６８】
開局要求パケットには、通信端末１００のＭＡＣアドレスが少なくとも含まれる。また、必要に応じて登録認証ＩＤが含まれる場合もある。登録認証ＩＤが開局要求パケットに含まれる場合は、通信端末１００が未だ局側装置２００に登録されていないときである。既に局側装置２００に通信端末１００のＭＡＣアドレスが登録されている場合には含める必要はない。
【００６９】
局側装置２００では、通信端末１００より受信した開局要求パケットの通信端末１００のＭＡＣアドレスを取出し、その通信端末１００と通信の接続を確立するか否かを判断する。この判断処理については後で詳しく説明する。
【００７０】
局側装置で開局してもよいと判断した場合には、通信端末１００に対して許可パケットを送信し、開局しないと判断した場合には不許可パケットを送信する。許可パケットまたは不許可パケットには、通信端末１００のＭＡＣアドレスが宛先の情報として含まれる。また、許可パケットには、局側装置２００と通信端末１００との間で論理的に通信を確立するための論理リンク識別番号（Ｌｏｇｉｃａｌ  Ｌｉｎｋ  ＩＤ）が含まれる。このＬＬＩＤを用いて、通信端末１００と局側装置２００との間の論理的なネットワーク接続が確立されることになる。
【００７１】
通信端末１００では、許可パケットを受信した場合には、許可確認パケットを局側装置２００に出力する。局側装置２００で許可確認パケットが受信された段階で、局側装置２００では通信端末１００との間で通信を確立する処理が実行され、開局される。
【００７２】
局側装置２００と通信端末１００との間の開局処理手順は、概略上述のとおりである。この開局処理手順によって、局側装置２００に通信端末１００のＭＡＣアドレスを登録する登録処理および、局側装置２００が通信端末１００との間の通信を確立する処理とが実行される。
【００７３】
図７は、本実施の形態における局側装置で実行される登録認証ＩＤテーブル更新処理の流れを示すフローチャートである。図７を参照して、局側装置２００では、登録認証ＩＤの許可指定があったか否かが判断される（ステップＳ０１）。登録認証ＩＤの許可指定とは、登録認証ＩＤを有効にするための指定であり、局側装置２００のユーザが入力部２１８を操作することにより入力される。入力された情報に基づいて、上述した登録認証ＩＤテーブルが更新される（ステップＳ０２）。上述した登録認証ＩＤテーブルの指定された登録認証ＩＤに対応する登録可否が「登録許可」に更新される。これにより、登録可否が「登録許可」に変更された登録認証ＩＤが有効となる。
【００７４】
次にステップＳ０３では、登録認証ＩＤ不許可指定があったか否かが判断される。ユーザによる入力部２１８の操作により操作があったか否かにより判断される。登録認証ＩＤ不許可指定があった場合には、記憶部２１７に記憶されている登録認証ＩＤテーブルの指定された登録認証ＩＤに関連する登録可否が「登録不許可」に更新される（ステップＳ０４）。これにより、登録可否が「登録不許可」に変更された登録認証ＩＤは無効となる。
【００７５】
このように、ユーザが入力部２１８を操作することにより、記憶部２１７に記憶されている登録認証ＩＤテーブルの登録可否が「登録許可」または「登録不許可」に変更されることにより、その登録認証ＩＤが有効か無効かを指定することが可能となる。
【００７６】
図８は、本実施の形態における局側装置で実行される開局処理の流れを示すフローチャートである。図８を参照して、局側装置２００は、すべての通信端末１００，１００Ａ〜１００Ｄに対して、ディスカバリーゲートパケットを送信する（ステップＳ０５）。そしてステップＳ０６において、通信端末１００，１００Ａ〜１００Ｄのいずれかからパケットが受信されたか否かが判断される。パケットが受信された場合にはステップＳ０７に進み、そうでない場合にはステップＳ０５に戻る。なお、ディスカバリーゲートパケットは、所定の時間間隔で送信される。
【００７７】
ステップＳ０６で受信されるパケットは、局側装置２００にＭＡＣアドレスが既に登録されている通信端末から送信されるパケットだけでなく、未だＭＡＣアドレスが登録されていない通信端末から送信されるパケットも含む。
【００７８】
ステップＳ０７では、受信されたパケットに基づき所定の処理を実行する。このパケットには、上述したように、制御パケットとデータパケットとがあり、制御パケットの場合には、制御部２１３で所定の処理が実行され、データパケットの場合には、受信部２１１から送信部２１２に送信され、送信部２１２から上位ネットワーク側に送信される。
【００７９】
図９は、図８のステップＳ０７で実行されるパケット処理の流れを示すフローチャートである。なお、本実施の形態においては、図８のステップＳ０７で実行される処理として説明するが、図９に示す処理は、通信端末から開局要求パケットが受信された時点で割込を発生させて、その割込みが発生した後に実行するようにしてもよい。
【００８０】
ここでは、説明を簡単にするために、通信端末１００が局側装置２００に登録されており、通信端末１００Ａが局側装置２００に登録されていない場合に、局側装置２００で通信端末１００，１００Ａそれぞれから開局要求パケットが受信された場合を例に説明する。
【００８１】
まず、ステップＳ１１において、受信された開局要求パケットに含まれる登録認証ＩＤとＭＡＣアドレスとを読出す。そして、記憶部２１７に記憶されているＭＡＣ認証テーブルが検索される（ステップＳ１２）。上述したように、開局要求パケットには、登録認証ＩＤを含むものと含まないものがある。通信端末１００から送信されてくる開局要求パケットには登録認証ＩＤが含まれない。通信端末１００Ａから送信されてくる開局要求パケットには登録認証ＩＤが含まれる。ステップＳ１２では、開局要求パケットに登録認証ＩＤが含まれない場合には、ＭＡＣアドレスのみを読出す。
【００８２】
検索の結果、ステップＳ１１で読出されたＭＡＣアドレスが、ＭＡＣ認証テーブルに存在するか否かが判断される（ステップＳ１３）。ＭＡＣアドレスがＭＡＣ認証テーブルに存在する場合には、ステップＳ２３へ進み、そうでない場合にはステップＳ１４へ進む。通信端末１００は局側装置２００に登録されているため通信端末１００のＭＡＣアドレスは、ＭＡＣ認証テーブルに存在するはずである。通信端末１００Ａは局側装置２００に登録されていないため通信端末１００ＡのＭＡＣアドレスは、ＭＡＣ認証テーブルに存在しない。したがって、通信端末１００から送信されてくる開局要求パケットが受信された場合には、ステップＳ２３に進み、通信端末１００Ａから送信されてくる開局要求パケットが受信された場合には、ステップＳ１４に進むことになる。
【００８３】
ステップＳ１４では、ＭＡＣ認証テーブルに記憶されているＭＡＣアドレスが規定数に達しているか否かが判断される（ステップＳ１４）。規定数とは、予め定められた値であり、本実施の形態においては３２としている。規定数は、局側装置２００と接続が可能な通信端末の台数を制限するための数である。ステップＳ１４では、ＭＡＣ認証テーブルに規定数のＭＡＣアドレスが登録されていると判断した場合にはステップＳ２５へ進み、そうでない場合にはステップＳ１５へ進む。これは、ＭＡＣ認証テーブルに規定数のＭＡＣアドレスが既に登録されている場合には、登録を拒否するためである。
【００８４】
ステップＳ１５では、登録拒否ＭＡＣテーブルを検索する。登録拒否ＭＡＣテーブルとは、記憶部２１７に記憶され、特定のＭＡＣアドレスの登録を拒否するためのテーブルである。これについては後で説明する。そしてステップＳ１６において、ステップＳ１１で読出されたＭＡＣアドレスが、登録拒否ＭＡＣテーブルに記憶されているか否かを判断することにより、ステップＳ１１で読出されたＭＡＣアドレスをＭＡＣ認証テーブルに登録することが可能か否かを判断する。ＭＡＣアドレスを登録可能と判断した場合にはステップＳ１７に進み、そうでない場合にはステップＳ２５へ進む。
【００８５】
次のステップＳ１７では、登録認証テーブルを検索する。登録認証テーブルは、記憶部２１７に記憶されており、登録認証ＩＤと登録可否とを対応づけて記憶したものであった。したがってこのステップＳ１７では、ステップＳ１１で読出された登録認証ＩＤに対応する登録可否が抽出される。
【００８６】
次のステップＳ１８では、抽出された登録可否が、「登録許可」であり、かつ、回数が「０」である場合にステップＳ１９へ進み、そうでない場合にはステップＳ２４へ進む。ステップＳ１９では、登録認証ＩＤテーブルの登録回数をカウントアップする。次のステップＳ２０では、ＭＡＣ認証テーブルにステップＳ１１で読出したＭＡＣアドレスが追加される。
【００８７】
登録可否は、局側装置２００のユーザが更新することにより書き換えられる情報であった。したがって、この登録可否を判定することにより、局側装置２００のユーザにより登録が許可されたことを判定することができる。また、回数は、登録可否が「登録許可」に更新されたときに「０」にリセットされ、ステップＳ１９でカウントアップされる値である。したがって、ステップＳ１８で回数が０でないと判断する場合には、その登録認証ＩＤを用いた登録が少なくとも１回は既に実行されたことを示す。したがって、この回数が０でない場合には、ステップＳ２０を実行しないことにより、同じ登録認証ＩＤを用いた再登録を不可能としている。このため、同じ登録認証ＩＤを用いた二重登録を防止することができる。また、ステップＳ２０が実行されると、登録認証ＩＤに対応する回数が０でなくなるため、その後に他の通信端末からその登録認証ＩＤが送信されてきたとしても、その登録を拒否することができる。このため、同じ通信端末から異なる登録認証ＩＤを用いて二重に登録されるのを防止することができる。
【００８８】
ステップＳ２０では、局側装置２００と通信端末１００または通信端末１００Ａとの間の論理的な接続に用いられるＬＬＩＤを割当てる。なお、本実施の形態においては、このＬＬＩＤに登録認証ＩＤを用いている。なお、ＬＬＩＤには、登録認証ＩＤを用いることなく、他の値を用いるようにしてもよい。
【００８９】
そして、次のステップＳ２２で、ステップＳ１１で読出したＭＡＣアドレスとステップＳ２０で割当てたＬＬＩＤとを含む許可パケットを送信する。その後、通信端末より許可確認パケットが受信されると、局側装置２００と通信端末との間の通信が確立されて開局される。
【００９０】
一方、ステップＳ１３において、ＭＡＣ認証テーブルにステップＳ１１で読出されたＭＡＣアドレスが登録されているとされた場合には、ステップＳ２３において、そのＭＡＣアドレスに対応して記憶されている開局可否情報が「許可」であるか否かが判断される。「許可」の場合にはステップＳ２１に進み、そうでない場合にはステップＳ２５へ進む。ステップＳ２３に進む場合は、通信端末１００から開局要求パケットが受信された場合である。
【００９１】
ステップＳ２５では、ステップＳ１１で読出されたＭＡＣアドレスと禁止コマンドとを含む不許可パケットを送信する。禁止コマンドは、通信端末１００に以降の開局要求パケットの送信を禁止させるためのコマンドである。このため、この禁止コマンドを含む不許可パケットが送信されるのは、次の３つの場合である。
【００９２】
（１）ＭＡＣ認証テーブルにＭＡＣアドレスが規定数以上既に登録されている場合。この場合は、局側装置２００に接続可能な通信端末の台数が上限値に達しているため、それ以上の通信端末１００Ａの登録を認めないためである。
【００９３】
（２）登録拒否ＭＡＣテーブルにＭＡＣアドレスが登録されている場合。登録拒否ＭＡＣテーブルは、局側装置２００のユーザが入力部２１８を操作することにより登録される情報である。これは、局側装置２００側から特定の通信端末１００との接続を望まない場合に登録拒否ＭＡＣテーブルにその通信端末１００のＭＡＣアドレスを登録するものである。一時的にサービスを停止する場合、または、契約を解除し、今後サービスを提供しない場合などに該当する。
【００９４】
（３）ＭＡＣアドレスがＭＡＣ認証テーブルに登録されているが、ＭＡＣ認証テーブルの開局可否情報が「不許可」に設定されている場合。開局可否は、局側装置２００のユーザが、入力部２１８を操作することにより更新される値であった。したがって、局側装置２００側で特定の通信端末１００との接続の確立を一時的に中断したい場合が該当する。
【００９５】
一方、ステップＳ１８において、登録認証ＩＤでＭＡＣアドレスの登録ができないと判断された場合には、ステップＳ２４に進む。ステップＳ２４では、ステップＳ１１で読出されたＭＡＣアドレスを含む不許可パケットが送信される。そのような不許可パケットを受信した通信端末１００では、局側装置２００との間の通信の確立が失敗したことを認識することができる。
【００９６】
このように、本実施の形態における局側装置２００は、ＭＡＣ認証テーブルと登録認証ＩＤテーブルとを用いて開局処理を実行する。登録認証ＩＤテーブルは、局側装置２００のユーザが入力部２１８を操作することにより、登録認証ＩＤおよび登録可否が変更される。したがって、新たに通信端末１００Ａを局側装置２００に登録する場合には、通信端末１００Ａのユーザに、登録認証ＩＤを知らせるとともに、登録認証ＩＤテーブルの登録可否を「登録許可」に変更する。登録認証ＩＤを知るユーザのみが、通信端末１００Ａを局側装置２００に登録処理することができる。したがって、局側装置２００の管理者が通信端末１００Ａを操作して登録しようとする場合には、登録認証ＩＤを第三者に知らせることなく通信端末を登録することができる。
【００９７】
また、局側装置２００の登録認証ＩＤテーブルにおいては、登録可否を「登録許可」にしておく時間帯を決めておくようにすれば、その登録認証ＩＤが有効となる時間帯、換言すればその登録認証ＩＤを用いて登録が可能な時間帯が決められる。このため、登録認証ＩＤが有効な時間帯を制限することができる。したがって、通信端末１００Ａのユーザは、知らされた登録認証ＩＤで、知らされた時間帯に限り登録することが可能となる。また、登録認証ＩＤが第三者に知られたとしても、登録可否を「登録不許可」とすれば、その登録認証ＩＤを用いて登録されるのを防止することができる。
【００９８】
本実施の形態においては、図５に示すように、登録認証ＩＤを複数記憶しておく例を示したが、登録認証ＩＤは少なくとも１つあればよい。また、登録認証ＩＤは複数あってもよい。登録認証ＩＤを複数記憶することにより、登録処理のセキュリティを向上させることができる。また、登録認証ＩＤを、上述したＭＡＣ認証テーブルに記憶されたＭＡＣアドレスごとに関連づけて記憶しておくようにしてもよい。すなわち、ＭＡＣ認証テーブルに登録可能なＭＡＣアドレスは、上述したように、その数に上限がある。本実施の形態においては、３２のＭＡＣアドレスをＭＡＣ認証テーブルに登録可能であった。したがって、登録認証ＩＤもＭＡＣ認証テーブルに記憶可能なＭＡＣアドレスの数に対応させて、３２の登録認証ＩＤを記憶しておくようにしてもよい。
【００９９】
図１０は、本実施の形態における通信装置で実行される開局処理の流れを示す第１のフローチャートである。図１０に示す開局処理は、局側装置２００のＭＡＣ認証テーブルに登録されていない通信装置１００Ａで実行される処理を示す。通信端末１００Ａは、まず、登録認証ＩＤが入力されたか否かが判断される（ステップＳ３１）。この登録認証ＩＤは、通信端末１００Ａのユーザが、それに接続されたコンピュータ２１０Ａのキーボード等から入力するものである。コンピュータ２１０に入力された登録認証ＩＤは、通信端末１００Ａの受信部１２４で受信され、制御部２１３に出力される。
【０１００】
通信端末１００Ａを局側装置２００に登録する際には、登録認証ＩＤが局側装置２００の管理者から通信端末１００Ａのユーザに通知される。このユーザは、局側装置２００の管理者から、通信端末１００Ａを登録するための権限を与えられた者であるり、たとえば、局側装置２００を管理者側の人とするのが望ましい。また、通信端末１００Ａを実際に使用する人としてもよい。この場合には、登録認証ＩＤが第三者に知られることが前提となるため、登録認証ＩＤが使用された後は、無効としておく必要がある。
【０１０１】
また、通信端末１００Ａのユーザが、登録認証ＩＤを通信端末１００Ａに登録認証ＩＤを入力するタイミングを制限することができる。上述したように、登録認証ＩＤを有効にしておく時間帯を制限することができた。このため、この制限された時間帯に入力するタイミングを制限することができる。このため、局側装置２００の管理者等が指定した登録認証ＩＤが、指定した時間帯に通信端末１００Ａに入力されなければ、通信端末１００Ａを局側装置２００に登録することができないようにすることができる。
【０１０２】
次にステップＳ３２では、ステップＳ３１で入力された登録認証ＩＤを記憶部１２７に記憶する。そして、局側装置２００よりディスカバリーゲートパケットが受信されたか否かが判断される（ステップＳ３３）。ディスカバリーゲートパケットが受信されるまで待機状態となり、受信された時点でステップＳ３４へ進む。ステップＳ３４では、開局要求パケットを生成する。この開局要求パケットには、ステップＳ３１で入力された登録認証ＩＤと、通信端末１００ＡのＭＡＣアドレスとを含むものである。また、開局要求パケットは、送信先の情報として、ステップＳ１３で受信されたディスカバリーゲートパケットに含まれる局側装置２００のＭＡＣアドレスを含む。
【０１０３】
そしてステップＳ３５で、開局要求パケットを送信する。なお、この開局要求パケットを送信するタイミングは、ステップＳ３３で受信されたディスカバリーゲートパケットに含まれる送信が許可された時間帯に送信される。
【０１０４】
開局要求パケットが送信されると、局側装置２００でその開局要求パケットが受信され、図９に示した開局処理が実行され許可パケットまたは不許可パケットのいずれかが通信端末１００に対して出力される。通信端末１００では、局側装置２００からパケットを受信し（ステップＳ３６）、受信したパケットが許可パケットの場合にはステップＳ３７に進み、そうでない場合にはステップＳ３８へ進む。
【０１０５】
ステップＳ３７では、許可パケットを受信した旨を確認するための許可確認パケットを局側装置２００に送信する。また、コンピュータ２１０Ａに対して、局側装置２００との間で接続が確立したことを通知するなど、必要な処理が実行される。
【０１０６】
一方ステップＳ３８では、不許可パケットの受信に応じて、エラー処理を実行する。エラー処理としては、コンピュータ２１０Ａに開局処理が失敗したことを示す信号を送信する処理が挙げられる。また、不許可パケットには、禁止コマンドを含むものと、禁止コマンドを含まないものとがある。不許可パケットに禁止コマンドが含まれる場合には、その禁止コマンドを記憶部１２７に記憶する。
【０１０７】
通信端末１００Ａを局側装置２００に登録する際には、通信端末１００Ａに登録認証ＩＤを入力するだけでよい。このため、簡単な方法で局側装置２００に通信端末１００Ａを登録することができる。またその登録には、通信端末１００ＡのＭＡＣアドレスを用いているため、局側装置２００で通信端末１００を特定することができる。したがって、局側装置２００に登録されたＭＡＣアドレスの通信端末だけが、局側装置２００との間で通信を確立することを可能としている。
【０１０８】
図１１は、本実施の形態における通信端末で実行される開局処理の流れを示す第２のフローチャートである。図１１に示す開局処理は、局側装置２００にそのＭＡＣアドレスが登録された通信端末１００で実行される処理である。
【０１０９】
ステップＳ４１では、開局指示があったか否かが判断される。この開局指示は、コンピュータ２１０から受信される指示信号であり、受信部１２４で受信されて制御部２１３に出力される。制御部２１３では、開局指示があった場合にはステップＳ４２へ進み、そうでない場合には待機状態となる。なお、ここでは開局指示があるまで待機状態とするようにしたが、開局指示が受信部１２４で受信された時点で割込を発生させ、以降の処理を実行するようにしてもよい。
【０１１０】
ステップＳ４２では、記憶部１２７に禁止コマンドが記憶されているか否かが判断される。記憶されている場合にはステップＳ４８に進み、そうでない場合にはステップＳ４３に進む。この禁止コマンドは、上述したように、局側装置２００より受信されるコマンドであり、開局要求パケットの送信が禁止されることを示すコマンドである。この禁止コマンドは、後述するステップＳ４８または図１０のステップＳ３８において、局側装置２００から禁止コマンドが含まれる不許可パケットを受信した時点で記憶部１２７に記憶されるものである。
【０１１１】
ステップＳ４３では、局側装置２００からディスカバリーゲートパケットの受信があったか否かが判断される。ディスカバリーゲートパケットが受信された場合にはステップＳ４４へ進み、そうでない場合には待機状態となる。なおここではディスカバリーゲートパケットを受信するまで待機状態とするようにしたが、ディスカバリーゲートパケットを受信した時点で割込を発生させ、以降の処理を実行するようにしてもよい。
【０１１２】
ステップＳ４４では、ディスカバリーゲートパケットに含まれる局側装置２００のＭＡＣアドレスを読出し、その局側装置２００のＭＡＣアドレスと、通信端末１００のＭＡＣアドレスとを含む開局要求パケットを生成する。そして生成された開局要求パケットが送信される（ステップＳ４５）。開局要求パケットには、局側装置２００のＭＡＣアドレスが含まれるため、開局要求パケットは局側装置２００で受信されることになる。
【０１１３】
ステップＳ４６では、局側装置２００からパケットが受信されたか否かが判断される。受信されたパケットが許可パケットの場合にはステップＳ４７に進み、不許可パケットを受信した場合にはステップＳ４８に進む。
【０１１４】
ステップＳ４７では、許可パケットを受信したことを局側装置２００に知らせるために許可確認パケットを送信する（ステップＳ４７）。また、コンピュータ２１０に対して、局側装置２００との間で接続が確立したことを通知するなど、必要な処理が実行される。
【０１１５】
一方ステップＳ４８では、不許可パケットの受信に応じて、エラー処理を実行する。エラー処理としては、コンピュータ２１０に開局処理が失敗したことを示す信号を送信する処理が挙げられる。また、不許可パケットには、禁止コマンドを含むものと、禁止コマンドを含まないものとがある。不許可パケットに禁止コマンドが含まれる場合には、その禁止コマンドを記憶部１２７に記憶する。
【０１１６】
このように、通信端末１００では、一度禁止コマンドを受信すると、その禁止コマンドが記憶部１２７に記憶されるため、その後コンピュータ２１０から開局指示が入力された場合であっても、開局要求パケットを送信することがない。このため、局側装置２００で一方的に禁止コマンドが送信された場合には、その禁止コマンドが送信された通信端末からその後開局要求パケットが送信されないため、不要な開局要求パケットが通信端末１００から送信されるのを防止することができる。その結果、ネットワークを有効に利用することができる。
【０１１７】
図１２は、本実施の形態における通信システムで実行されるサービス一時停止処理および契約解除処理の流れを示すフローチャートである。なお、図では左側に局側装置２００で実行される処理を示し、右側に通信端末１００で実行される処理を示している。
【０１１８】
図を参照して、局側装置２００において、まず、サービス一時停止指示の入力があったか否かが判断される（ステップＳ５１）。サービス一時停止指示の入力があった場合にはステップＳ５２へ進み、そうでない場合にはステップＳ５３に進む。このサービス一時停止処理は、入力部２１８を局側装置２００のユーザが操作することによりサービス一時停止指示入力される。サービス一時停止指示には、サービスを一時的に停止することを示す信号と、その対象となる通信端末１００のＭＡＣアドレスとが含まれる。
【０１１９】
次のステップＳ５２では、ＭＡＣ認証テーブルの開局可否が「不許可」に設定される。これは、ＭＡＣ認証テーブルに記憶されているデータのうち、ステップＳ５１で入力された指示に含まれるＭＡＣアドレスに対応する開局可否が「不許可」に書換えられる。
【０１２０】
次のステップＳ５３では、契約解除指示の入力があったか否かが判断される。契約解除指示の入力があった場合にはステップＳ５４に進み、そうでない場合にはステップＳ５５に進む。契約解除指示は、局側装置２００のユーザが入力部２１８を操作することにより入力される。契約解除指示には、契約解除の対象となる通信端末のＭＡＣアドレスと、契約を解除する旨の信号が含まれる。ステップＳ５４では、ＭＡＣ認証テーブルのステップＳ５３で入力された契約解除指示に含まれるＭＡＣアドレスが削除される。また、この削除されたＭＡＣアドレスは、記憶部２１２に記憶される登録拒否ＭＡＣテーブルに追加登録される。
【０１２１】
ステップＳ５５は、ステップＳ５１でサービス一時停止指示の入力があった場合、または、ステップＳ５３で契約解除指示の入力があった場合に実行される処理である。ステップＳ５５では、そのようなサービス一時停止指示、または契約解除指示のいずれかが入力された場合には、それぞれの指示に含まれるＭＡＣアドレスで特定される通信端末１００が開局されているか否か、換言すれば、通信が確立されているか否かが判断される。開局されている場合にはステップＳ５６に進み、そうでない場合には処理を終了する。
【０１２２】
ステップＳ５６では、通信端末１００のＭＡＣアドレスを含む不許可パケットが送信される。また、この不許可パケットには、開局要求パケットの送信を禁止させるための禁止コマンドが含まれる。ステップＳ５７では、通信端末１００との間の通信が切断される。
【０１２３】
一方、通信端末１００では、ステップＳ５６で局側装置２００から送信された不許可パケットが受信されたか否かが判断される（ステップＳ６１）。不許可パケットが受信された場合にはステップＳ６２へ進み、その他のパケットが受信された場合にはステップＳ６５へ進む。ステップＳ６５では、受信したパケットに相当する処理が実行される。
【０１２４】
ステップＳ６２では、受信した不許可パケットに含まれる禁止コマンドが記憶部１２７に記憶される。そして、局側装置２００との間の通信を切断するための処理が実行され（ステップＳ６３）、コンピュータ２１０に対して、局側装置２００との間の通信が切断されたことを示すエラー信号を出力する等のエラー処理が実行される（ステップＳ６４）。
【０１２５】
ステップＳ６２において、禁止コマンドが記憶部１２７に記憶されるので、その後通信端末１００から開局要求パケットが局側装置２００に出力されることがない。
【０１２６】
このように、本実施の形態においては、局側装置２００のユーザが、サービス一時停止指示を入力すると、ＭＡＣ認証テーブルの開局可否情報が「不許可」に設定される。また、局側装置２００のユーザが、契約解除指示を入力すると、ＭＡＣ認証テーブルから通信端末１００のＭＡＣアドレスが削除される。このため、簡単な方法で、特定の通信端末１００との間の通信の確立を一時的に停止したり、その後の通信の確立を一切行なわないように設定することができる。
【０１２７】
以上説明したように本実施の形態における局側装置２００は、ＭＡＣ認証テーブルを記憶しておくようにしたので、開局要求パケットを送信してきた通信端末のＭＡＣアドレスが、そのＭＡＣ認証テーブルに登録されていることを条件に通信を確立する。このため、特定の通信端末等のみとの間で通信を確立することができる。
【０１２８】
また、局側装置２００は、登録認証ＩＤテーブルを記憶するようにしたので、ＭＡＣ認証テーブルに登録するＭＡＣアドレスを登録認証ＩＤテーブルで登録が許可されている場合にのみ登録するようにした。このため、特定の通信端末、例えば契約した者の通信端末だけを登録することが可能となる。
【０１２９】
さらに、局側装置２００は、ＭＡＣ認証テーブルにおいて、ＭＡＣアドレスと開局可否とを関連づけて記憶するようにしたので、開局可否が「不許可」の場合には、それに対応するＭＡＣアドレスを有する通信端末１００との接続を確立しないようにすることができる。このため、ＭＡＣ認証テーブルの開局可否を「不許可」とするだけで、特定のＭＡＣアドレスの通信端末との間で一時的に通信の接続を確立しないようにすることができる。
【０１３０】
さらに、ＭＡＣ認証テーブルの開局可否が「不許可」とされているＭＡＣアドレスの通信端末に対して、開局要求パケットの送信を禁止させるための禁止コマンドを送信するので、開局要求パケットが無駄に送信されることがなく、ネットワーク資源を有効に利用することができる。
【０１３１】
さらに、局側装置２００は、ＭＡＣ認証テーブルに予め定められた規定数のＭＡＣアドレスが記憶されている場合には、ＭＡＣ認証テーブルにＭＡＣアドレスが記憶されていない他の通信端末の登録をしないようにしている。このため、局側装置２００との接続が確立される通信端末の数を制限することができる。また、そのような通信端末に対して、禁止コマンドを含む不許可パケットを送信するようにしたので、そのような通信端末から無駄に開局要求パケットが送信されるのを防止することができる。その結果、ネットワークに不要な信号が送出されることがなく、ネットワーク資源を有効に利用することができる。
【０１３２】
さらに、局側装置２００は、契約解除指示が入力されると、ＭＡＣ認証テーブルからその指示に含まれるＭＡＣアドレスが削除される。このため、その後削除されたＭＡＣアドレスの通信端末１００から開局要求パケットが送出されたとしても、その通信端末１００と接続が確立されることがない。したがって、局側装置２００から、一方的に接続を拒否することができる。
【０１３３】
さらに、局側装置２００からは、通信の確立を制限した通信端末１００に対して、禁止コマンドを含む不許可パケットを送信するようにしたので、そのような通信の確立が制限された通信端末１００から無駄に開局要求パケットが送信されるのを防止することができる。その結果、ネットワーク資源を有効に利用することができる。
【０１３４】
さらに、局側装置２００は、記憶部１２７に記憶されているＭＡＣ認証テーブルからＭＡＣアドレスが削除された場合には、その削除されたＭＡＣアドレスを登録拒否ＭＡＣテーブルに追加して記憶部２１７に記憶するようにしている。このため、ＭＡＣ認証テーブルに登録されていないＭＡＣアドレスの通信端末１００から開局要求パケットが受信された場合でも、登録拒否ＭＡＣテーブルにそのＭＡＣアドレスが登録されている場合には接続を確立しない。さらに、そのような通信端末１００に対しては、禁止コマンドを含む不許可パケットを送信するようにしたので、通信端末１００から無駄に開局要求パケットが送信されることがない。その結果、ネットワーク資源を有効に利用することができる。
【０１３５】
また、本実施の形態における通信端末１００は、ユーザにより登録認証ＩＤが入力されると、その登録認証ＩＤと通信端末１００のＭＡＣアドレスとを含む開局要求パケットを局側装置２００に送信する。このため、登録認証ＩＤを入力するだけで局側装置２００にその通信端末１００を登録することができるので、特定の端末装置１００だけを局側装置２００に容易に登録することが可能となる。
【０１３６】
さらに、通信端末１００は、局側装置２００から開局要求パケットの送信を禁止させるための禁止コマンドを含む不許可パケットが受信された場合には、その後局側装置２００への開局要求パケットを送信しない。このため、局側装置へ無駄に開局要求パケットが送信されないので、ネットワーク資源を有効に利用することができる。
【０１３７】
本実施の形態においては、局側装置２００および通信端末１００について説明したが、局側装置２００または通信端末１００で実行される開局方法、または開局プログラムとして発明をとらえることができる。
【０１３８】
（１）  通信を許可する通信端末のＭＡＣアドレスを予め記憶するＭＡＣ認証テーブル記憶手段を備え、少なくとも１つの通信端末と通信を確立可能な局側装置で実行される開局方法であって、
通信端末のＭＡＣアドレスを含む開局要求パケットを受信するステップと、
前記開局要求パケットが受信された場合、前記開局要求パケットに含まれるＭＡＣアドレスが前記ＭＡＣ認証テーブルに記憶されていることを条件に該ＭＡＣアドレスに宛てて通信を許可するための許可パケットを送信するステップとを含む、開局方法。
【０１３９】
（２）  （１）の開局方法であって、前記開局装置は、登録認証ＩＤと登録の可否を示す登録可否情報とを関連づけて記憶する登録認証ＩＤテーブル記憶手段をさらに備え、
前記開局方法は、ＭＡＣアドレスおよび登録認証ＩＤを含む開局要求パケットが受信された場合、前記受信された開局要求パケットに含まれる登録認証ＩＤに関連づけて前記登録認証ＩＤテーブル記憶手段に記憶された登録可否情報が許可であることを条件に、前記受信されたＭＡＣアドレスを前記ＭＡＣ認証テーブルに記憶するステップをさらに含む。
【０１４０】
（３）  （１）の開局方法であって、前記ＭＡＣ認証テーブル記憶手段は、ＭＡＣアドレスごとに通信の可否を示す開局可否情報が記憶されており、
前記許可パケットを送信するステップは、前記受信された開局要求パケットに含まれるＭＡＣアドレスに対応する開局可否情報が許可を示すことをさらに条件として前記許可パケットを送信する。
【０１４１】
（４）  （３）の開局方法であって、前記開局可否情報を不許可にする指示の入力を受け付けるステップと、
前記開局要求パケットに含まれるＭＡＣアドレスに対応する開局可否情報が不許可の場合には、該ＭＡＣアドレス宛に前記開局要求パケットの送信を禁止させるための禁止コマンドを送信するステップをさらに含む。
【０１４２】
（５）  （１）の開局方法であって、前記受信された開局要求パケットに含まれるＭＡＣアドレスが前記ＭＡＣ認証テーブル記憶手段に記憶されておらず、前記ＭＡＣ認証テーブル記憶手段に予め定められた数のＭＡＣアドレスが既に記憶されている場合には、前記ＭＡＣアドレス宛に前記開局要求パケットの送信を禁止させるための禁止コマンドを送信するステップをさらに含む。
【０１４３】
（６）  （１）の開局方法であって、前記ＭＡＣ認証テーブル記憶手段に記憶されたＭＡＣアドレスを削除する指示の入力を受付けるステップと、
前記削除が指示されたＭＡＣアドレスが入力された場合に、前記ＭＡＣ認証テーブル記憶手段に記憶されている前記削除が指示されたＭＡＣアドレスを削除するステップとをさらに含む。
【０１４４】
（７）  （６）の開局方法であって、前記削除されたＭＡＣアドレスに対応する通信端末と通信が確立されている場合には、前記削除されたＭＡＣアドレス宛に前記開局要求パケットの送信を禁止させるための禁止コマンドを送信するステップと、
前記通信端末との通信を切断するステップとをさらに含む。
【０１４５】
（８）  （１）の開局方法であって、前記開局装置は、登録拒否ＭＡＣテーブル記憶手段をさらに備え、
前記ＭＡＣ認証テーブル記憶手段に記憶されたＭＡＣアドレスを削除する指示の入力を受付けるステップと、
前記削除が指示されたＭＡＣアドレスが入力された場合に、前記入力されたＭＡＣアドレスを登録拒否ＭＡＣテーブルに記憶するステップと、
前記開局要求パケットに含まれるＭＡＣアドレスが前記登録拒否ＭＡＣテーブル記憶手段に記憶されている場合には、該ＭＡＣアドレス宛に前記開局要求パケットの送信を禁止させるための禁止コマンドを送信するステップとを含む。
【０１４６】
（９）  局側装置に登録されることを条件に通信が確立される端末装置で実行される開局方法であって、
登録認証ＩＤの入力を受付けるステップと、
前記局側装置による登録が完了する前の段階で、前記局側装置から出力されるディスカバリーゲートパケットを受信するステップと、
前記ディスカバリーゲートパケットの受信に応じて、自身のＭＡＣアドレスと前記入力された登録認証ＩＤとを含む開局要求パケットを前記局側装置に送信するステップとを含む。
【０１４７】
（１０）  （９）の開局方法であって、前記局側装置から前記開局要求パケットの送信を禁止させるための禁止コマンドが受信された場合には、前記局側装置への開局要求パケットの送信を禁止するステップをさらに含む。
【０１４８】
（１１）  （１）〜（８）の開局方法を局側装置に実行させるための開局プログラム。
【０１４９】
（１２）  （９）または（１０）の開局方法を通信端末に実行させるための開局プログラム。
【０１５０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明の実施の形態に係る通信システムの概略構成を示す図である。
【図２】本実施の形態における局側装置の概略構成を示すブロック図である。
【図３】本実施の形態における通信端末の概略構成を示すブロック図である。
【図４】本実施の形態における局側装置に記憶されるＭＡＣ認証テーブルの一例を示す図である。
【図５】本実施の形態における局側装置に記憶される登録認証ＩＤテーブルの一例を示す図である。
【図６】本実施の形態における通信システムで実行される開局処理手順を示す図である。
【図７】本実施の形態における局側装置で実行される登録認証ＩＤテーブル更新処理の流れを示すフローチャートである。
【図８】本実施の形態における局側装置で実行される開局処理の流れを示すフローチャートである。
【図９】図８のステップＳ０７で実行されるパケット処理の流れを示すフローチャートである。
【図１０】本実施の形態における通信端末で実行される開局処理の流れを示す第１のフローチャートである。
【図１１】本実施の形態における通信端末で実行される開局処理の流れを示す第２のフローチャートである。
【図１２】本実施の形態における通信システムで実行されるサービス一時停止および契約解除処理の流れを示すフローチャートである。
【符号の説明】
１００，１００Ａ，１００Ｂ，１００Ｃ，１００Ｄ  通信端末、２００  局側装置、２０１，２０２，２０２Ａ，２０２Ｂ，２０２Ｃ，２０２Ｄ  光ファイバ、２０３  光カプラ、２０４，２０４Ａ，２０４Ｂ，２０４Ｃ，２０４Ｄ  接続線、２１０，２１０Ａ，２１０Ｂ，２１０Ｃ，２１０Ｄ  コンピュータ、１２１，１２４，２１１，２１４  受信部、１２２，１２６，２１２，２１６  送信部、１２３，２１３  制御部、１２５，２１５  バッファメモリ、１２７，２１７記憶部、２１８  入力部。
【図１】
2005027083.tif 000003
【図２】
2005027083.tif 000004
【図３】
2005027083.tif 000005
【図４】
2005027083.tif 000006
【図５】
2005027083.tif 000007
【図６】
2005027083.tif 000008
【図７】
2005027083.tif 000009
【図８】
2005027083.tif 000010
【図９】
2005027083.tif 000011
【図１０】
2005027083.tif 000012
【図１１】
2005027083.tif 000013
【図１２】
2005027083.tif 000014